(57)【要約】【課題】一方のレンズ収容ケースに収容したレンズを、他方のレンズ収容ケースへと、落下を生じることなく容易に移し替えることができるレンズ収容ケース用の治具を提供する。【解決手段】治具１０内でレンズ収容ケース２０の両端を突き当てることで、レンズＬＳの移送作業において、レンズＬＳを作業者が触ることがないので、不用意な取り扱いによるレンズＬＳのキズ付きや汚染等を回避できる。又、２本のレンズ収容ケース２０を治具１０内に挿通したまま傾けるのみで、レンズＬＳの移送ができるので、作業の効率化を図れる。【選択図】図４
2014101139.tif 000002
【特許請求の範囲】
【請求項１】
複数のレンズをガイドレールに沿って列状に保持する中空のレンズ収容ケースから、他のレンズ収容ケースへとレンズを移動させるために用いる治具であって、
本体と、
前記本体内に形成され、一方のレンズ収容ケースの端部を挿入するための第１挿入部と、
前記本体内に形成され、他方のレンズ収容ケースの端部を挿入するための第２挿入部とを有し、
前記第１挿入部と前記第２挿入部は、レンズを収容した一方のレンズ収容ケースの端部を第１挿入部に挿入し、他方のレンズ収容ケースの端部を第２挿入部に挿入したときに、それぞれのレンズ収容ケースのガイドレールが対向して略一致するように整列しており、
前記第１挿入部と前記第２挿入部との間には、レンズ収容ケース間のレンズの移送を阻害することなく、挿入したレンズ収容ケースの端部を前記本体の中央付近で係止する係止部が設けられていることを特徴とするレンズ収容ケース用の治具。
【請求項２】
前記係止部は、前記本体の中央部に設置されたプレートであって、挿入された前記レンズ収容ケースの端部間に挟持される位置に配置されていることを特徴とする請求項１に記載のレンズ収容ケース用の治具。
【請求項３】
前記プレートはステンレス製であり、前記本体に形成されたスリット内に配置されていることを特徴とする請求項２に記載のレンズ収容ケース用の治具。
【請求項４】
前記プレートの厚さは、０．１〜０．３ｍｍであることを特徴とする請求項３に記載のレンズ収容ケース用の治具。
【請求項５】
前記レンズ収容ケースの端部近傍には、収容したレンズの落下を防止するキャップ取り付け用のくぼみが設けられ、前記係止部は、前記くぼみに係合する突起であることを特徴とする請求項１に載のレンズ収容ケース用の治具。
【請求項６】
前記治具の少なくとも一部は透明になっており、一方のレンズ収容ケースから他方のレンズ収容ケースへと移動するレンズを観察可能となっていることを特徴とする請求項１〜５のいずれかに記載のレンズ収容ケース用の治具。
【請求項７】
前記第１挿入部と前記第２挿入部の少なくとも一方の開放端にテーパ面を設けたことを特徴とすることを特徴とする請求項１〜６のいずれかに記載のレンズ収容ケース用の治具。
【請求項８】
前記レンズはプラスチック製であることを特徴とする請求項１〜７のいずれかに記載のレンズ収容ケース用の治具。
【発明の詳細な説明】
【技術分野】
【０００１】
本発明は、小径のレンズを収容するのに好適なレンズ収容ケース用の治具に関する。
【背景技術】
【０００２】
例えば光ディスク等の記録・再生に使用する光ピックアップ用のレンズは小径であるため、これをレンズの製造工程から組立工程に搬送する際に、不用意な落下やキズ等を防ぐべく、収容ケースに収容されることが多い。特許文献１には、複数のレンズをガイドレールに沿って列状に保持する中空のレンズ収容ケースが開示されている。
【先行技術文献】
【特許文献】
【０００３】
【特許文献１】特開２０００−１０９１５８号公報
【発明の概要】
【発明が解決しようとする課題】
【０００４】
ところで、レンズをレンズ収容ケースに収容した状態で出荷する場合など、収容されるレンズの個数は、レンズ収容ケースごとに一定であるべきである。ところが、レンズが比較的小さいことなどに起因する作業の困難性から、レンズ収容ケースに収容されたレンズに個数バラツキが生じる恐れがある。よって、続く検査工程にてレンズ個数のバラツキが検出された場合、個数が多い方のレンズ収容ケースからレンズを取り出して、個数が少ない方のレンズ収容ケースに移し替える作業が必要になる。従来は、作業者がピンセット等でレンズ収容ケースから１個ずつレンズを取り出し、別のレンズ収容ケースに移し替える作業を行っていた。しかしながら、そのような作業は煩雑であり、作業に時間がかかるばかりか、レンズを落としてしまったり、レンズの光学面が傷ついてしまう恐れを有していた。特に光ピックアップ装置に用いられるような小径のレンズであると、ピンセットで挟む作業がより一層困難となり、、レンズを挟む際に誤って落下してしまうことやレンズを破損したり傷つけたりする問題が顕著な物となる。また、レンズ収用ケースの端部同士を手作業で合わせることは、ガイドレール同士が対向して略一致するように当接させることが難しく、且つ手作業のミスにより、レンズの落下や光学面の傷つきが生じる可能性があるため現実的ではない。
【０００５】
本発明は、上述の問題に鑑みてなされたものであり、一方のレンズ収容ケースに収容したレンズを、他方のレンズ収容ケースへと、落下や傷つきを生じることなく容易に移し替えることができるレンズ収容ケース用の治具を提供することを目的とする。
【課題を解決するための手段】
【０００６】
請求項１に記載のレンズ収容ケース用の治具は、複数のレンズをガイドレールに沿って列状に保持する中空のレンズ収容ケースから、他のレンズ収容ケースへとレンズを移動させるために用いる治具であって、
本体と、
前記本体内に形成され、一方のレンズ収容ケースの端部を挿入するための第１挿入部と、
前記本体内に形成され、他方のレンズ収容ケースの端部を挿入するための第２挿入部とを有し、
前記第１挿入部と前記第２挿入部は、レンズを収容した一方のレンズ収容ケースの端部を第１挿入部に挿入し、他方のレンズ収容ケースの端部を第２挿入部に挿入したときに、それぞれのレンズ収容ケースのガイドレールが対向して略一致するように整列しており、
前記第１挿入部と前記第２挿入部との間には、レンズ収容ケース間のレンズの移送を阻害することなく、挿入したレンズ収容ケースの端部を前記本体の中央付近で係止する係止部が設けられていることを特徴とする。
【０００７】
本発明によれば、レンズを収容した一方のレンズ収容ケースの端部を前記第１挿入部に挿入し、他方のレンズ収容ケースの端部を前記第２挿入部に挿入したときに、双方の端部は、前記係止部により、レンズ収容ケース間のレンズの移送を阻害することなく、前記本体の中央付近の係止位置に係止されるので、例えば一方のケースを奥まで挿入しすぎ他方のケースを浅く挿入した結果、レンズの移し替え時に浅く挿入した方のレンズ収容ケースが外れるといった不具合を回避できる。又、レンズを収容した一方のレンズ収容ケースの端部を第１挿入部に挿入し、他方のレンズ収容ケースの端部を第２挿入部に挿入したときに、それぞれのレンズ収容ケースのガイドレールが対向して略一致するようになるので、前記レンズを、一方のレンズ収容ケースのガイドレールから、他方のレンズ収容ケースのガイドレールへ乗り移るようにして、短時間で効率的に移送することが可能になる。これによりレンズの落下などが生じることなく、また、ピンセットなども使わずに済むため、レンズの破損や傷付き等も抑制できる。尚、移送できるレンズの種類は、ガイドレールに沿って移動できるものであれば、形状が異なっていても使用可能である。
【０００８】
請求項２に記載のレンズ収容ケース用の治具は、請求項１に記載の発明において、前記係止部は、前記本体の中央部に設置されたプレートであって、挿入された前記レンズ収容ケースの端部間に挟持される位置に配置されていることを特徴とする。
【０００９】
前記プレートが、前記第１挿入部と前記第２挿入部に挿入された前記レンズ収容ケースの端部間に挟持される位置に配置され、前記端部を係止するようになっているので、前記端部間には前記プレートの厚み程度の空間しか生じず、一方のレンズ収容ケースのガイドレールから他方のレンズ収容ケースのガイドレールへのレンズの移送に支障を与えることが抑制される。
【００１０】
請求項３に記載のレンズ収容ケース用の治具は、請求項２に記載の発明において、前記プレートはステンレス製であり、前記本体に形成されたスリット内に配置されていることを特徴とする。
【００１１】
これにより前記プレートの耐久性を向上できるから、長期間の使用にも耐えることができる。
【００１２】
請求項４に記載のレンズ収容ケース用の治具は、請求項３に記載の発明において、前記プレートの厚さは、０．１〜０．３ｍｍであることを特徴とする。
【００１３】
これにより、前記プレートにより係止された前記レンズ収容ケースの端部間の距離を小さくできるから、一方のレンズ収容ケースのガイドレールから他方のレンズ収容ケースのガイドレールへのレンズの移送に支障を与えることが抑制される。
【００１４】
請求項５に記載のレンズ収容ケース用の治具は、請求項１に記載の発明において、前記レンズ収容ケースの端部近傍には、収容したレンズの落下を防止するキャップ取り付け用のくぼみが設けられ、前記係止部は、前記くぼみに係合する突起であることを特徴とする。
【００１５】
前記レンズ収容ケースの端部に、収容したレンズの落下を防止するキャップを取り付けるために、キャップ取り付け用のくぼみを設ける場合がある。このようなキャップは、レンズ移送時には取り外す必要があるから、くぼみが空くこととなる。そこで、かかるくぼみを利用して、前記係止部を、前記くぼみに係合する突起とすれば、前記第１挿入部と前記第２挿入部に挿入された前記レンズ収容ケースの端部同士を突き当てることも可能になり、それにより一方のレンズ収容ケースのガイドレールから他方のレンズ収容ケースへのガイドレールへのレンズの移送を、スムーズに行うことができる。
【００１６】
請求項６に記載のレンズ収容ケース用の治具は、請求項１〜５のいずれかに記載の発明において、前記治具の少なくとも一部は透明になっており、一方のレンズ収容ケースから他方のレンズ収容ケースへと移動するレンズを観察可能となっていることを特徴とする。
【００１７】
これにより、目視にて、一方のレンズ収容ケースから他方のレンズ収容ケースへと移動したレンズの個数をカウントできるから、レンズ収納ケース内のレンズ個数を容易に把握できる。
【００１８】
請求項７に記載のレンズ収容ケース用の治具は、請求項１〜６のいずれかに記載の発明において、前記第１挿入部と前記第２挿入部の少なくとも一方の開放端にテーパ面を設けたことを特徴とすることを特徴とする。
【００１９】
前記テーパ面をガイドとすることで、一方のレンズ収容ケースの端部を第１挿入部に挿入し易くなり、また他方のレンズ収容ケースの端部を第２挿入部に挿入し易くなるので好ましい。
【００２０】
請求項８に記載のレンズ収容ケース用の治具は、請求項１〜７のいずれかに記載の発明において、前記レンズはプラスチック製であることを特徴とする。
【００２１】
レンズ収容ケース内に収容するレンズがプラスチック製であると、レンズ収容ケース内で互いに衝接してもガラスレンズなどに比べて破損等の恐れが少ないので好ましい。
【発明の効果】
【００２２】
本発明によれば、一方のレンズ収容ケースに収容したレンズを、他方のレンズ収容ケースへと、落下を生じることなく容易に移し替えることができるレンズ収容ケース用の治具を提供することが可能になる。
【図面の簡単な説明】
【００２３】
【図１】レンズ収容ケース用の治具１０の上面図である。
【図２】図１の治具１０をII-II線で切断して矢印方向に見た図である。
【図３】図１の治具１０を矢印III方向に見た側面図であるが、レンズ収容ケース２０を挿入した状態で示している。
【図４】治具１０の分解した状態で示す斜視図である。
【図５】治具１０内に、両側からレンズ収容ケース２０を挿入した状態で示す断面図である。
【図６】変形例にかかる図３と同調な側面図である。
【図７】治具１０’のケースを半分に切断した状態で、レンズ収容ケース２０’ともに示す斜視図であるは、蓋は省略している。
【図８】治具１０’内に、両側からレンズ収容ケース２０’を挿入した状態で示す断面図である。
【発明を実施するための形態】
【００２４】
（第１の実施の形態）
以下、本発明の実施の形態を、図面を参照して説明する。図１は、レンズ収容ケース用の治具１０の上面図であり、図２は、図１の治具１０をII-II線で切断して矢印方向に見た図であり、図３は、図１の治具１０を矢印III方向に見た側面図であり、図４は、治具１０の分解した状態で示す斜視図である。
【００２５】
図２，４に示すように、治具１０は、本体を構成するボディ１１と蓋１２とを有する。ボディ１１は、黒色の樹脂から形成された直方体状であって、その中央に長手方向に伸びる矩形溝１１ａを有している。矩形溝１１ａの両端近傍には、外方に向かうにつれて広がるような底面テーパ面１１ｂと、側面テーパ面１１ｃとが形成されている。なお、テーパ面は片側のみにあってもよい。
【００２６】
ボディ１１の上面中央には、小判型形状の凹部１１ｄと、半小判型形状の凹部１１ｅが、矩形溝１１ａを挟んで二組形成されている。同じ側に形成された両凹部１１ｄ、１１ｅは、互いに一部を重合するように並んでおり、また、半小判型形状の凹部１１ｅは矩形溝１１ａの側面に露出している。従って、矩形溝１１ａの側面から小判型形状の凹部１１ｄに至るようにして、一対のスリット１１ｆが形成されている。
【００２７】
スリット１１ｆに両端を差し込むようにして、厚さ０．１〜０．３ｍｍ（好ましくは０．２ｍｍ）のＳＵＳ製の長方形状のプレート１３が、ボディ１１に配置される。但し、プレート１３は、細幅形状であるから、後述するレンズ収容ケース２０を治具１０内に挿入したときに、レンズ収容ケース間のレンズＬＳの移動を阻害しないようになっている。プレート１３の上部に来る蓋１２により、押圧することにより、プレート１３を上下方向に固定している。ボディ１１の上面には４つのねじ穴１１ｇが形成されている。ボディ１１は機械加工で容易に形成できる。
【００２８】
矩形板状の蓋１２は、アクリルやポリカーボネートなどの透明な樹脂から形成されており、蓋１２の長手方向端部近傍の下面には、端部に向かうにつれて板厚が薄くなるような下面テーパ面１２ａが両端に形成されている。なお、テーパ面は片側のみにあってもよい。又、蓋１２は、ケースのねじ穴１１ｇに対向して、開口１２ｂを有している。ボディ１１上に蓋１２を載置して、開口１２ｂにボルト１４を挿通し、ねじ穴１１ｇに螺合することで、ボディ１１に蓋１２が取り付けられる。これにより、強固な筐体状の構造が形成され、且つ溝１１ａの上部が覆われて矩形断面の貫通開口１０ａを形成する。図３に示すように、貫通開口１０ａの縦寸法はＨ１であり、横寸法はＷ１である。貫通開口１０ａの端部の一方が第１挿入部を構成し、他方が第２挿入部を構成する。
【００２９】
レンズ収容ケース２０は、透明な樹脂からなる中空の角筒状であって、内部に形成した長手方向に延在するガイドレール２１上にフランジ部を接地させて、レンズＬＳを光軸直交方向に１列に摺動自在に収容できるものであるが、例えば特願２０００−１０９１５８号公報に詳細が記載されているため、ここでは詳細な説明を省略する。但し、レンズ収容ケースの断面縦寸法Ｈ２（図４）は、治具１０の貫通開口１０ａの縦寸法Ｈ１よりわずかに小さく、レンズ収容ケースの断面横寸法Ｗ２（図４）は、治具１０の貫通開口１０ａの横寸法Ｗ１よりわずかに小さくなっている。
【００３０】
本実施の形態の動作について説明する。レンズＬＳの移送を行いたい作業者は、所定数より多くのレンズＬＳを収容した一方のレンズ収容ケース２０の端部を貫通開口１０ａの一方（第１挿入部）から挿入し、別のレンズ収容ケースの端部を貫通開口１０ａの他方（第２挿入部）から挿入する。このとき、治具１０の貫通開口１０ａの両端近傍内周には、ボディ１１の底面テーパ面１１ｂ、側面テーパ面１１ｃ、下面テーパ面１２ａが形成されているので、これらがガイドの機能を発揮し、レンズ収容ケース２０をスムーズに挿入できる。
【００３１】
ここで、レンズ収容ケース２０を貫通開口１０ａに挿入してゆくと、その挿入端の上部が係止部としてのプレート１３に当接するので，それ以上奥へと侵入することはない。他方のレンズ収容ケース２０を挿入したときも同様である。挿入後の断面図を図５に示す。すなわち、２本のレンズ収容ケース２０を治具１０内に挿通した状態で、レンズ収容ケース２０はプレート１３のみを隔てて対峙することとなる。また、当然ながらプレート１３はレンズが通過する領域にははみ出していないため、レンズの通過を妨げることはない。
【００３２】
かかる状態で、２本のレンズ収容ケース２０を治具１０内に挿通したまま長手方向に傾けることで、一方のレンズ収容ケース２０内のレンズＬＳが、自重によりガイドレール２１に沿って摺動し、その端部から飛び出して、対向する端部から、他方のレンズ収容ケース２０内へと進入する。このとき、蓋１２が透明であるから、作業者が目視にて、移送されたレンズの個数をカウントすることができる。所望の数だけ、レンズの移送が完了したら、２本のレンズ収容ケース２０と治具１０を水平に戻し、治具１０から２本のレンズ収容ケース２０を抜き出すことで、レンズの移送作業が完了する。
【００３３】
本実施の形態によれば、レンズＬＳの移送作業において、レンズＬＳを作業者が触る必要がないので、不用意な取り扱いによるレンズＬＳのキズ付きや汚染等を回避できる。又、２本のレンズ収容ケース２０を治具１０内に挿通したまま傾けるのみで、レンズＬＳの移送ができるので、作業の効率化を図れる。
【００３４】
図６は、本実施の形態の変形例にかかる図３と同様な側面図である。図６に示すように、レンズ収容ケースは、異なる形状のレンズＬＳを収容することもでき、またレンズ収容ケースの内部形状が異なっていても、外部形状が等しければ、同じ治具１０を用いてレンズの移送を行うことができる。
【００３５】
（第２の実施の形態）
図７は、第２の実施の形態にかかる治具１０’のケースを半分に切断した状態で、レンズ収容ケース２０’とともに示す斜視図である。図８は、治具１０’内に、両側からレンズ収容ケース２０’を挿入した状態で示す断面図である。図７において、本実施の形態にかかるレンズ収容ケース２０’は、収容したレンズの脱落を抑えるべく、端部にストッパとしてのキャップ２３を取り外し可能に設けている。より具体的には、レンズ収容ケース２０’の上面及び下面には、端部から所定距離だけ延在する小溝２２が形成されている。小溝２２は、その最も奥に、小溝２２の底面２２ａより深く形成されたくぼみ２２ｂを形成している。
【００３６】
樹脂製のキャップ２３は略コ字形状を有し、より具体的には、垂直方向に延在する柱部２３ａと、柱部２３ａの上端及び下端から水平に延在する、小溝２２と同じ幅の一対のアーム部２３ｂとから一体的に形成されている。一対のアーム部２３ｂは、その先端に互いに近接する方向に突出する凸部２３ｃを形成している。
【００３７】
一対のアーム部２３ｂを小溝２２に挿入することでキャップ２３は、レンズ収容ケース２０’に取り付けられる。このとき、凸部２３ｃが小溝２２の底面に乗り上がった状態で、アーム部２３ｂがたわむように変形するが、そのままキャップ２３を押し続けることで、凸部２３ｃが底面２２ａ上を摺動し、最終的にくぼみ２２ｂに係合した時点で、アーム部２３ｂのたわみが戻る。凸部２３ｃがくぼみ２２ｂに係合することで、レンズ収容ケース２０’からのキャップ２３の不用意な脱落が抑止され、よってレンズ収容ケース２０’内に収容されたレンズは、出口が封鎖されるので、レンズ収容ケース２０’を傾けてもレンズの落下を招くことがない。
【００３８】
ところで、一方のレンズ収容ケース２０’から他方のレンズ収容ケース２０’へのレンズ移送の際には、キャップ２３を取り外す必要がある。従って、小溝２２はレンズの脱落防止のために使用されないのであるから、本実施の形態では、レンズ収容ケース２０’の係止部に利用するのである。
【００３９】
より具体的には、治具１０’のボディ１１における溝１１ａの底面１１ｉの中央には、直方体状の突起１１ｊを形成している。突起１１ｊの幅は、小溝２２の幅より小さくなっている。また、突起１１ｊはボディ１１と一体となっている。それ以外の構成については、原則的に上述した実施の形態と同様であるが、本実施の形態では１１ｅや１１ｄなどの凹部はなく、また、プレートも設置していない。そのため、治具１０を作成する際には、機械加工による貫通開口の形成時に突起１１ｊが形成されるように加工すればよく、別途凹部を加工する必要や別体の係止部を準備する必要がなく、当然ながら別体の係止部の破損などによる交換なども行う必要がない。また、本実施例においては突起１１ｊが小溝２２に入り込むことになるが、このとき、突起１１ｊのガイドライン方向の厚みを小溝と略等しい厚さにしたとしても問題なくレンズＬＳを移送することができる。即ち、突起１１ｊの厚みを十分確保することができるようになっているため、強度を十分確保することができ、レンズＬＳの移送を繰り返し行ったとしても、係止部の裂傷や破損を好適に防止できる。
【００４０】
本実施の形態の動作について説明する。図８に示すように、レンズＬＳの移送を行いたい作業者は、所定数より多くのレンズＬＳを収容した一方のレンズ収容ケース２０’の端部を貫通開口１０ａの一方から挿入し、別のレンズ収容ケースの端部を貫通開口１０ａの他方から挿入する。
【００４１】
ここで、レンズ収容ケース２０’を貫通開口１０ａに挿入してゆくと、図８に示すように、下面側の小溝２２内に係止部としての突起１１ｊが進入してゆくが、小溝２２は端部から所定距離だけ延在しているので、突起１１ｊが小溝２２の奥端（くぼみ２２ｂ）に当接した時点で、レンズ収容ケース２０’は，それ以上奥へと侵入することはない。他方のレンズ収容ケース２０’を挿入したときも同様である。従って、一方のレンズ収容ケース２０’が浅く挿入されるという不具合を抑制できる。突起１１ｊの長さを合わせることで、レンズ収容ケース２０’を治具１０’の中央で係止させることも可能である。本実施の形態では、レンズ収容ケース２０’の対向する端部間に係止部が存在しないので、レンズ収容ケース２０’は治具１０’内で端部同士を隙間なく当接させることができる。
【００４２】
かかる状態で、２本のレンズ収容ケース２０’を治具１０’内に挿通したまま長手方向に傾けることで、一方のレンズ収容ケース２０’内のレンズＬＳが、自重によりガイドレール２１に沿って摺動し、その端部から飛び出して、対向する端部から、他方のレンズ収容ケース２０’内へと進入する。透明な蓋１２を介して、作業者が目視にて、所望の数だけレンズの移送が完了したことを確認したら、２本のレンズ収容ケース２０’と治具１０’を水平に戻し、治具１０’から２本のレンズ収容ケース２０’を抜き出すことで、レンズの移送作業が完了する。
【００４３】
尚、突起１１ｊの高さを小溝２２の底面２２ａの深さより若干長めにし、嵌合させることで、レンズ収容ケース２０’を治具１０’内に挿通した際に、突起１１ｊが弾性変形しながら小溝２２に係合するようにしても良い。これにより、突起１１ｊと小溝２２の底面２２ａとの間に摩擦力が作用するから、レンズ収容ケース２０’を治具１０’内に挿通したまま長手方向に傾けたときに、治具１０’からレンズ収容ケース２０’が自重で抜け出ることを抑制できる。
【産業上の利用可能性】
【００４４】
本発明は、明細書に記載の実施例に限定されるものではなく、他の実施例・変形例を含むことは、本明細書に記載された実施例や思想から本分野の当業者にとって明らかである。レンズ収容ケースの外形が同じであれば、収容するレンズＬＳの形状が異なっていても、本発明の治具を用いることができる。又、挿入するレンズ収容ケースの外形が異なっている場合には、それに応じて貫通開口の第１挿入部と第２挿入部の形状を変えても良い。
【符号の説明】
【００４５】
１０、１０’        治具
１０ａ            貫通開口
１１            ボディ
１１ａ            溝
１１ｂ            底面テーパ面
１１ｃ            側面テーパ面
１１ｄ            小判型の凹部
１１ｅ            半小判型の凹部
１１ｆ            スリット
１１ｇ            ねじ穴
１１ｉ            底面
１１ｊ            突起
１２            蓋
１２ａ            下面テーパ面
１２ｂ            開口
１３            プレート
１４            ボルト
２０、２０’        レンズ収容ケース
２１            ガイドレール
２２            小溝
２２ａ            底面
２３            キャップ
２３ａ            柱部
２３ｂ            アーム部
ＬＳ            レンズ
【図１】
2014101139.tif 000003
【図２】
2014101139.tif 000004
【図３】
2014101139.tif 000005
【図４】
2014101139.tif 000006
【図５】
2014101139.tif 000007
【図６】
2014101139.tif 000008
【図７】
2014101139.tif 000009
【図８】
2014101139.tif 000010